(57)【特許請求の範囲】
【請求項１】
側面部に混合湯水の吐出口部が形成された水栓胴体の下部側に水栓取付足を接続して湯水の混合室を形成すると共に、ハンドル操作される湯水調整用の弁ユニットを湯水混合室に内蔵して成る湯水混合水栓において、湯用および水用の供給管を弁ユニットの固定弁座流路に連通させる供給流路と、この供給流路の上部側の、逆止弁と湯水連通用アタッチメントの脚部との収容部と、下部側の雌ねじ孔とを、前記水栓取付足に切削加工により形成する一方、湯水混合室から供給管側への混合湯水の逆流を防止する前記逆止弁と湯水連通用アタッチメントとをその順に、前記供給流路の収容部のそれぞれに弁座側から嵌め込み、雌ねじには前記湯用および水用の供給管を接続して成ることを特徴とする湯水混合水栓。
【発明の詳細な説明】
【０００１】
【発明の属する技術分野】
本発明は、水栓取付足を備える湯水混合水栓に関するものである。
【０００２】
【従来の技術】
従来の湯水混合水栓の一例を図６に示している。この湯水混合水栓は、側面部に混合湯水の吐出口（シャワー栓などが接続されるものであるが、図示はしていない。）が形成され且つ底面部には湯および水の供給管５１，５１が接続される水栓胴体５２を、洗面ボールなどの周部面板５３に開設の貫通孔５４に挿通固定される水栓取付足５５にビス５６止めして、湯水の混合室Ａを構成する一方、この湯水の混合室Ａに、湯水調整（湯水の混合比ならびに流量調整）のための弁ユニット５７を内蔵し、かつ、弁ユニット５７の可動弁体にレバーハンドル５８を連設して成る。
【０００３】
【発明が解決しようとする課題】
かゝる構成の湯水混合水栓において、湯水混合室Ａから供給管５１，５１側への混合湯水の逆流を防止するために、供給管５１，５１のそれぞれに逆止弁５９，５９が設けられるが、互いの干渉を避けて逆止弁５９，５９を供給管５１，５１に設ける上で、どうしても供給管５１，５１を互いに偏心させる必要があった。
【０００４】
更に、逆止弁５９，５９が互いに接近または供給管５１，５１に接近し合って、しかも、洗面ボールなどの周部面板の下部空間に納められているので、逆止弁５９の交換などのメンテナンス作業が困難であった。
【０００５】
本発明は、合理的な改良技術によって、供給管を偏心させる必要性がなくなり、しかも、逆止弁に対するメンテナンス作業が楽に行えるようにした湯水混合水栓を提供する。
【０００６】
【課題を解決するための手段】
上記の目的を達成するために、本発明は、側面部に混合湯水の吐出口部が形成された水栓胴体の下部側に水栓取付足を接続して湯水の混合室を形成すると共に、ハンドル操作される湯水調整用の弁ユニットを湯水混合室に内蔵して成る湯水混合水栓において、湯用および水用の供給管を弁ユニットの固定弁座流路に連通させる供給流路と、この供給流路の上部側の、逆止弁と湯水連通用アタッチメントの脚部との収容部と、下部側の雌ねじ孔とを、前記水栓取付足に切削加工により形成する一方、湯水混合室から供給管側への混合湯水の逆流を防止する前記逆止弁と湯水連通用アタッチメントとをその順に、前記供給流路の収容部のそれぞれに弁座側から嵌め込み、雌ねじには前記湯用および水用の供給管を接続して成る点に特徴がある。
【０００７】
即ち、水栓取付足が比較的大径であることを巧く利用して、ここに供給流路を形成し、かつ、その流路の一部を弁ケースにして、この弁ケースに逆止弁を弁座側から嵌め込むようにしている。
【０００８】
【発明の実施の形態】
以下に本発明の実施例を図面に基づいて説明する。図１はシャワー栓１を接続した湯水混合水栓２を示し、図２は要部を破断した湯水混合水栓２を示している。
これらの図において、図中の３は湯水の混合室Ａを形成する水栓本体で、例えば洗面ボールの周部面板４に開設の貫通孔５に止着される水栓取付足６と、湯水混合用の弁ユニット７を内蔵する水栓胴体８とから成る。
【０００９】
湯水混合用の弁ユニット７は、図３に示すように、湯および水の導入孔ａ，ａと混合湯水の導出孔ｂとが形成されたロアーディスク９と、上記の孔ａ，ａ，ｂに嵌入される筒状パッキン１０ａ，１０ａ、１０ｂと、弁座流路ｃ，ｃと湯水導出流路ｄとが形成された固定弁座１１と、回転ならびに摺動自在な可動弁体（長孔ｅが形成された可動ディスク１２とサポート部材１３とから成る。）１４と、ディスクガイド１５とを、その順に筒状のユニットケース１６に内蔵して成り、前記ディスクガイド１５に枢着されたレバー１７の上端には、湯水調整用のレバーハンドル（図１を参照）１８が連結され、かつ、前記ユニットケース１６の上方肩部には、水栓胴体８の切欠き８ａに係合される位置合わせ用の突片１６ａが設けられている。
【００１０】
水栓胴体８は、図４と共に図１，２を参照して明らかなように、銅や真鍮などの金属パイプ材を加工成形したものであって、金属パイプ材の上部側を絞り込んで、その内面内面に、弁ユニット固定用の雄ねじリング（図３を参照）１９を螺着するための雌ねじ部ｆを形成すると共に、下部側については、これをバルジ加工して、それの上部側の内面に、水栓取付足６を螺着するための雌ねじ部ｈを形成し、更に、側面部に混合湯水の吐出口部２０を膨出させて、その外面に雄ねじ部ｉを形成して成り、シャワー栓１が接続されたホース２１は、ナット２２によって吐出口部２０に螺着される。
【００１１】
一方、水栓取付足６は、例えば銅や真鍮などの鋳造製であって、水栓胴体８の雌ねじ部ｈに螺着される雄ねじ部ｊと、Ｏリング２３を嵌合保持させる環状溝ｍと、周部面板４に開設の貫通孔５に挿通されて雌ねじ部材２４により固定される雄ねじ部ｎと、湯用および水用の供給管２５，２５を弁ユニット７の弁座流路ｃ，ｃに連通させる２本の供給流路２６，２６とを、切削加工して成るもので、供給流路２６，２６の上部側（弁座側）には、湯水混合室Ａから供給管２５，２５への混合湯水の逆流を防止する逆止弁２７と、湯水連通用アタッチメント２８の脚部とを、その順に弁ユニット９側から嵌め込むための収容部２６ａを形成し、供給流路２６，２６の下部側には、供給管接続用の雌ねじ孔２６ｂを形成している。
【００１２】
上記の逆止弁２７は、供給流路２６の収容部２６ａを弁ケースとしたもので、図５に示すように、筒状ケース２９の下部側（流路上流側）外面にＯリング３０の嵌入溝３１を形成し、この筒状ケース２９の下部側内面にテーパ弁座３２を形成する一方、Ｏリング３３を弁体として備える弁体保持具３４に、ガイドアーム３５と弁軸３６とを連設し、かつ、弁軸３６の保持体３７を複数本のアーム３８を介して備えた筒部材３９を、前記筒状ケース２９の上部側に嵌着保持させると共に、この筒部材３９と弁体保持具３４との間に、前記弁体であるＯリング３３をテーパ弁座３２側に付勢するスプリング４０を設けて成る。
【００１３】
上記の水栓本体３に対する湯用および水用供給管２５，２５の接続構造は、次の通りである。即ち、供給管２５，２５を例えば銅パイプ製にして、これの接続端部に外周フランジ４１を形成する一方、水栓取付足６の供給流路２６，２６の下部側に形成した雌ねじ孔２６ｂ，２６ｂを、この外周フランジ４１を下方から挿通させ得る大きさとし、かつ、供給管２５，２５のそれぞれに、外面形状を六角形などの異径にした筒状の雄ねじ部材４２と、Ｏリング状の弾性パッキン４３とを套嵌させて、この雄ねじ部材４２を水栓取付足６の雌ねじ孔２６ｂに螺着させるようにしている。
【００１４】
上記構成の湯水混合水栓２によれば、供給管２５，２５からの混合湯水が、水栓取付足６の供給流路２６，２６と、アタッチメント２８，２８の湯および水導入孔ｒ，ｒと、筒状パッキン１０ａ，１０ａと、弁座流路ｃ，ｃとを通して、可動ディスク１２の長孔ｅ内で混合され、その混合湯水が、固定弁座１１の湯水導出流路ｄと、筒状パッキン１０ｂと、アタッチメント２８，２８間に形成された湯水導出孔ｔとを通して、ユニットケース１６まわりの湯水混合室Ａに導出され、かつ、この混合湯水が、水栓本体３の吐出口部２０に接続されたホース２１を介してシャワー栓１から導出される。
【００１５】
湯水混合比の調整は、レバーハンドル１８による可動弁体１４の回転操作によって、可動ディスク１２の長孔ｄに連通させる弁座流路ｃ，ｃの開度比を調整することで行われ、閉栓を含む混合湯水の流量調整は、レバーハンドル１８による可動弁体１４の摺動操作によって、長孔ｄに連通させる弁座流路ｃ，ｃの開度を調整することで行われる。
【００１６】
【発明の効果】
本発明は、以上説明したような形態で実施され、湯水混合水栓の内、比較的大径である水栓取付足を利用して、この水栓取付足に、弁座側に逆止弁と湯水連通用アタッチメントの脚部との収容部を、また、流路上流側に雌ねじを備えた供給流路を形成し、かつ、その流路壁を弁ケースにして、これに弁座側から逆止弁と、湯水連通用アタッチメントとをその順に嵌め込んで、湯水混合水栓を逆止弁内蔵タイプに構成したことで、逆止弁を水栓外に装備させるに比較して、湯用および水用の供給管を偏心させる必要性がなくなる上に、逆止弁の組み付けはもとより、メンテナンス作業も広い空間で楽に行える。
しかも、水栓取付足には様々な切削加工が施されるので、その切削加工に際して同時に供給流路を形成すれば、殆どコストアップを伴うことなく、逆止弁を湯水混合水栓に内蔵させることができる。
【図面の簡単な説明】
【図１】シャワー栓を接続した湯水混合水栓の縦断側面図である。
【図２】要部を破断した湯水混合水栓の正面図である。
【図３】弁ユニットの分解斜視図である。
【図４】水栓胴体と水栓取付足ならびに供給管の接続構造を示す分解断面図である。
【図５】逆止弁の詳細断面図である。
【図６】逆止弁を供給管に設けた従来例の一部を破断した湯水混合水栓の正面図である。
【符号の説明】
６…水栓取付足、７…弁ユニット、８…水栓胴体、２０…吐出口部、２５…供給管、２６…供給流路、２７…逆止弁、Ａ…湯水混合室、ｃ…固定弁座流路。
【図１】
0003712216.tif 000002
【図２】
0003712216.tif 000003
【図３】
0003712216.tif 000004
【図４】
0003712216.tif 000005
【図５】
0003712216.tif 000006
【図６】
0003712216.tif 000007